(57)【要約】      （修正有）【課題】医用データファイルがコンピュータウィルスに感染した場合に、感染したデータファイルに対して即座にウィルス対策を施すとともに、コンピュータウィルスに感染したことをユーザに報知可能にした医用装置を提供する。【解決手段】医用情報ファイルを生成する医用装置であって、医用情報ファイルを保管・管理する保管部と、コンピュータウィルスを検索し保管部に保管されたファイルからウィルスが検出された場合に所定のウィルス対策を施すウィルス対策部と、ウィルス対策を講じたことを表す識別情報を生成し、ユーザから該当ファイルの表示要求があった場合に、識別情報をもとに該当ファイルに対してウィルス対策を施したことをユーザに報知する報知部とを具備して成る。【選択図】図２
2007213239.tif 000002
【特許請求の範囲】
【請求項１】
被検体内を撮影して得る画像データを含む医用情報ファイルを生成する医用装置であって、
前記医用情報ファイルを保管し、かつ保管されている医用情報ファイルを管理する保管部と、
前記保管部に保管されたファイルの情報を表示可能な表示部と、
ウィルス定義部によって定義されたコンピュータウィルスを検出し、前記保管部に保管されたファイルからコンピュータウィルスが検出された場合に、該当するファイルに所定のウィルス対策を施すウィルス対策部と、
前記該当ファイルに前記ウィルス対策が施されたことを表す識別情報を、前記保管部に記録して更新するデータ更新部と、
前記保管部に保管されたファイル情報を前記表示部に表示する際、前記識別情報を利用して前記該当ファイルに対してウィルス対策を施したことをユーザに報知する報知部と、を具備したことを特徴とする医用装置。
【請求項２】
前記ウィルス対策部は、コンピュータウィルスが検出されたファイルを、別のディレクトリに隔離することを特徴とする請求項1記載の医用装置。
【請求項３】
前記ウィルス対策部は、コンピュータウィルスが検出されたファイルから、ウィルスを駆除、削除、又は放置することを特徴とする請求項1記載の医用装置。
【請求項４】
前記データ更新部からの前記識別情報を用いて、該識別情報を含むダミーファイルを作成するダミーファイル作成部をさらに有することを特徴とする請求項1記載の医用装置。
【請求項５】
前記ダミーファイル作成部は、前記保管部の前記該当ファイルが保管されていた位置に、作成したダミーファイルを置き換えることを特徴とする請求項４記載の医用装置。
【請求項６】
前記ダミーファイル作成部は、前記識別情報を前記ダミーファイルの付帯情報部分、医用画像部分、又はユーザが個別に使用可能なプライベート領域部分、あるいはユーザが独自に拡張した領域部分の少なくとも１つの箇所に作成することを特徴とする請求項４記載の医用装置。
【請求項７】
前記データ更新部は、前記識別情報を前記管理部のファイルに追加し、このファイルの付帯情報部分、医用画像部分、又はユーザが個別に使用可能なプライベート領域部分、あるいはユーザが独自に拡張した領域部分の少なくとも１つの箇所に追加することを特徴とする請求項１記載の医用装置。
【請求項８】
前記報知部は、前記保管部に保管されたファイルの情報を前記表示部に表示する際、ユーザから前記該当ファイルの表示要求があった場合に、前記ウィルス対策が施されたことを表す識別情報を表示することを特徴とする請求項１記載の医用装置。
【請求項９】
前記報知部は、前記保管部に保管されたファイルの情報を前記表示部に表示する際、ユーザから前記該当ファイルに関するリストが選択された場合に、前記識別情報をもとに、選択されたリストを他のリストとは異なる形式で表示することを特徴とする請求項１記載の医用装置。
【請求項１０】
前記報知部は、前記保管部に保管されたファイルの情報を前記表示部に表示する際、ユーザから前記該当ファイルに関するリストが選択された場合に、前記識別情報をもとに、選択されたリストをポップアップ表示することを特徴とする請求項１記載の医用装置。
【請求項１１】
前記報知部は、前記保管部に保管されたファイルの情報を前記表示部に表示する際、ユーザから前記該当ファイルの表示要求があった場合に、前記ダミーファイルによる画像を表示することを特徴とする請求項４記載の医用装置。
【請求項１２】
前記報知部は、前記保管部に保管されたファイルの情報を前記表示部に表示する際、ユーザから前記該当ファイルの表示要求があった場合に、医用画像に重ねて表示されるオーバーレイ表示又はピクセルデータの情報を前記識別情報に基づいて変化させて表示することを特徴とする請求項１記載の医用装置。
【請求項１３】
前記保管部に保管されたファイルからウィルスが検出された場合に、サービスエンジニアを含む技術者に通知する通知部をさらに有することを特徴とする請求項１記載の医用装置。
【請求項１４】
前記通知部は、再度検査が必要になった場合に、該当検査オーダを出した医師、該当検査を実施した技師、該当検査を読影する読影医、再度検査を実施する技師、再検査結果を読影する読影医、検査を支援する看護師及び患者の少なくとも１人に通知することを特徴とする請求項１３記載の医用装置。
【請求項１５】
コンピュータウィルスから医用情報を保護するための医用情報管理装置であって、
医用情報ファイルを保管し、かつ保管されている医用情報ファイルを管理する保管部と、
前記保管部に保管されたファイルの情報を表示可能な表示部と、
ウィルス定義部によって定義されたウィルスを検索し、前記保管部に保管されたファイルからウィルスが検出された場合に、該当するファイルに所定のウィルス対策を施すウィルス対策部と、
前記該当ファイルの代わりに、ウィルス対策を講じたことを表す識別情報を含むダミーファイルを作成するダミーファイル作成部と、
前記保管部に保管されたファイル情報を前記表示部に表示する際、前記ダミーファイルの識別情報を利用して該当ファイルに対してウィルス対策を施したことを報知画面を表示してユーザに報知する報知部と、
前記報知画面に、前記ウィルス対策部へのリンク情報を表示し、該リンク情報を選択したときにウィルスの再チェックを行う再チェック部と、
前記再チェック部による再チェックの結果、ウィルスの誤検出が確認された場合に、前記ウィルス対策部によってウィルス対策が施されたファイルを前記保管部の元の位置に戻す復旧部と、を具備したことを特徴とする医用情報管理装置。
【請求項１６】
前記ウィルス対策部は、コンピュータウィルスが検出されたファイルを、別のディレクトリに隔離することを特徴とする請求項１５記載の医用情報管理装置。
【請求項１７】
前記ウィルス対策部は、コンピュータウィルスが検出されたファイルを別のディレクトリに隔離し、前記再チェック部は、前記報知画面にウィルスの隔離先へのリンク情報を表示することを特徴とする請求項１５記載の医用情報管理装置。
【請求項１８】
前記ウィルス定義部によって定義されたウィルス情報は随時更新され、前記再チェック部では、最新の定義情報を基に再度チェックを行うことを特徴とする請求項１５記載の医用情報管理装置。
【発明の詳細な説明】
【技術分野】
【０００１】
本発明は、医用装置、及び医療機関内で複数の医用装置を用いて構成された医用情報管理装置に係り、特にコンピュータウィルスに感染した医用データファイルを検出して保護する装置に関するものである。
【背景技術】
【０００２】
従来、医用装置としてＸ線ＣＴ装置（Ｘ線コンピュータトモグラフィ装置）、ＭＲＩ装置（磁気共鳴イメージング装置）、超音波診断装置等の様々なモダリティがある。これらモダリティは、医用画像保管サーバや読影装置等の他の医用装置と病院内のネットワークを介して接続し、各種モダリティと他の医用装置との間で医用画像データや検査情報のやり取りを行うようにしている。
【０００３】
モダリティで取得した医用画像データは、上記医用画像保管サーバに保管され、医用画像を表示／処理する読影装置などと診断目的に応じてネットワークを介して相互に接続され、コンピュータ診断を可能にしている。
【０００４】
ところで上記院内のネットワークで、さらにインターネット等の公衆回線を使用する場合には、医用装置がコンピュータウィルスに感染する恐れがある。また、医師個人や院内のパーソナルコンピュータ（ＰＣ）をインターネットに接続した場合にもコンピュータウィルスに感染する場合があり、それらのＰＣを院内のネットワークに接続して使用した場合にコンピュータウィルスに感染する恐れがある。
【０００５】
したがって、各種医用装置で扱う医用情報をコンピュータウィルスから護るために種々の対策が講じられている。例えば特許文献１では、コンピュータウィルスの感染等によるシステムダウンの影響を最小限に止めるため、複数の医用診断装置を相互に接続する病院内ネットワークと、それとは別にメンテナンス用の第２のネットワークを有し、第２のネットワークをメンテナンス用コンピュータを介して遠隔のサイトであるサポートセンターに置かれたサポート用コンピュータに接続し、病院内のメンテナンス用のネットワークとサポート用コンピュータが一つのネットワークを形成して、異常状態の確認とその対応を可能にしたリモートメンテナンスシステムについて記載されている。
【０００６】
また、市販のウィルス対策ソフトウェアを用いる場合もある。ウィルス対策ソフトウェアは、ウィルスに感染したファイルを検出すると、ウィルスの駆除、隔離、削除、放置のいずれかの処置を施す。ここで、駆除は、既存のファイルにウィルスが感染（寄生）していた場合に、ウィルスを無効にする処理であり、ファイルに含まれている悪質なマクロだけ削除する。また隔離は、ウィルスに感染したファイルを特別なディレクトリ（隔離ディレクトリ）に移動する処理であり、削除は、ウィルスファイルを削除する処理である。また放置はウィルスの検出のみを行い特に対策は行わない。
【０００７】
ところで、医用装置において実際にウィルスを発見した場合は、即座に対処する必要があるが、市販のウィルス対策ソフトウェアは、医用装置や医用システム上で動作するアプリケーションとは無関係に動作するため、医用画像データや医用情報ファイルがウィルス対策によって駆除・隔離・削除された場合には、それがユーザには分からず、いきなり医用画像や医用情報を見ることが出来なくなり、消失と勘違いする恐れがある。また、医用装置や医用システム上で動作するアプリケーションへの動作影響を考慮し、放置した場合には、ウィルスが活動を開始する恐れがある。
【特許文献１】特開２００３−５０７１８号公報
【発明の開示】
【発明が解決しようとする課題】
【０００８】
特許文献1のリモートメンテナンスシステムでは、遠隔のサイトであるサポートセンターに置かれたサポート用コンピュータに接続してウィルスに対応する必要がある。また、市販のウィルス対策ソフトウェアでは、医用装置がコンピュータウィルスに感染した場合、医用装置や医用情報システム上で動作するアプリケーションとは無関係にウィルス対策の処置(隔離・駆除・削除)を行うため、ユーザは医用画像が処置されたことに気がつかず画像消失と勘違いする欠点があった。また、放置した場合には、ウィルスが活動を開始する欠点があった。
【０００９】
本発明は上記事情に鑑み、医用装置がコンピュータウィルスに感染した場合に、感染したデータファイルに対して即座にウィルス対策を施すとともに、コンピュータウィルスに感染したことを画面に表示してユーザに報知することができ、さらに放置した場合でもコンピュータウィルスに感染したことを画面に表示してユーザに報知することができる医用装置及び医用情報管理装置を提供することを目的とする。
【課題を解決するための手段】
【００１０】
請求項1記載の本発明は、被検体内を撮影して得る画像データを含む医用情報ファイルを生成する医用装置であって、前記医用情報ファイルを保管し、かつ保管されている医用情報ファイルを管理する保管部と；前記保管部に保管されたファイルの情報を表示可能な表示部と；ウィルス定義部によって定義されたコンピュータウィルスを検出し、前記保管部に保管されたファイルからコンピュータウィルスが検出された場合に、該当するファイルに所定のウィルス対策を施すウィルス対策部と；前記該当ファイルに前記ウィルス対策が施されたことを表す識別情報を、前記保管部に記録して更新するデータ更新部と；前記保管部に保管されたファイル情報を前記表示部に表示する際、前記識別情報を利用して前記該当ファイルに対してウィルス対策を施したことをユーザに報知する報知部と；を具備したことを特徴とする。
【００１１】
また請求項１５記載の本発明は、コンピュータウィルスから医用情報を保護するための医用情報管理装置であって、医用情報ファイルを保管し、かつ保管されている医用情報ファイルを管理する保管部と；前記保管部に保管されたファイルの情報を表示可能な表示部と；ウィルス定義部によって定義されたウィルスを検索し、前記保管部に保管されたファイルからウィルスが検出された場合に、該当するファイルに所定のウィルス対策を施すウィルス対策部と；前記該当ファイルの代わりに、ウィルス対策を講じたことを表す識別情報を含むダミーファイルを作成するダミーファイル作成部と；前記保管部に保管されたファイル情報を前記表示部に表示する際、前記ダミーファイルの識別情報を利用して該当ファイルに対してウィルス対策を施したことを報知画面を表示してユーザに報知する報知部と；前記報知画面に、前記ウィルス対策部へのリンク情報を表示し、該リンク情報を選択したときにウィルスの再チェックを行う再チェック部と；前記再チェック部による再チェックの結果、ウィルスの誤検出が確認された場合に、前記ウィルス対策部によってウィルス対策が施されたファイルを前記保管部の元の位置に戻す復旧部と；を具備したことを特徴とする。
【発明の効果】
【００１２】
本発明によれば、コンピュータウィルスに感染した場合に即座に対応することができ、かつコンピュータウィルス対策を講じたことをユーザに的確に知らせることができる。
【発明を実施するための最良の形態】
【００１３】
以下、この発明の医用装置の一実施形態について図面を参照して詳細に説明する。
【実施例】
【００１４】
図１は本発明の医用装置が適用された医用システムの全体構成を示す構成図である。
【００１５】
図１の医用システムは、医用装置として、Ｘ線ＣＴ装置１１、ＭＲＩ装置１２、Ｘ線装置１３、超音波診断装置１４等のモダリティがネットワーク１０に接続され、さらに他の医用装置として、医用画像データを保管するファイルサーバ１５や、読影装置１６、入出力端末装置１７、画像ビューア１８等がネットワーク１０に接続されている。
【００１６】
Ｘ線ＣＴ装置１１、ＭＲＩ装置１２、Ｘ線装置１３、超音波装置１４は、医用画像を発生する医用装置であり、読影装置１６はファイルサーバ１５に保管された医用画像データを読影してレポートを作成し、入出力端末装置１７は、ネットワーク１０上の各装置にログインして情報の入出力を行うことができる端末であり、画像ビューア１８はファイルサーバ１５に保管された医用画像データを表示するものである。また、ネットワークを介して医用画像を通信するための標準規格として、医用画像通信規約ＤＩＣＯＭ（Digital Imaging and Communication in Medicine）が存在し、ネットワーク１０もこの規約に適合したものを用いている。
【００１７】
図１のシステムにおいて、医師は、入出力端末装置１７を利用して放射線検査のオーダを出し、技師は、オーダに基づきＸ線ＣＴ装置１１、ＭＲＩ装置１２等のモダリティを操作して検査を実施し、これらモダリティで撮影された医用画像は、ファイルサーバ１５に格納される。また放射線医師は、読影装置１６を使って撮影された画像を読影してレポートを作成し、医師は、放射線医師のレポートを入出力端末装置１７を利用して参照する。尚、以下の説明では医師や技師等を総称してユーザと呼ぶこともある。
【００１８】
各種モダリティで生成された医用画像データは、ファイルサーバ１５に保存されるが、その際、患者ＩＤ、患者名、年齢、性別、検査部位等の付帯情報が付されて保存され、付帯情報を基に検索が可能になっている。
【００１９】
ところで上記ネットワーク１０が、インターネット等の公衆回線に接続した場合、このネットワーク１０に接続された医用装置がコンピュータウィルスに感染する恐れがある。或いは、医師個人や院内のパーソナルコンピュータ（ＰＣ）をインターネットに接続した場合にもＰＣがコンピュータウィルスに感染する場合があり、それらのＰＣを院内のネットワーク１０に接続して使用した場合にコンピュータウィルスに感染する恐れがある。尚、以下の説明では、コンピュータウィルスを単にウィルスと称す。
【００２０】
本発明では、ウィルスに感染した場合に、ウィルスに感染したファイルに対して所定のウィルス対策、例えばウィルスの削除や駆除を行ったり、或いは別のディレクトリに移動してウィルスの増殖を阻止する。また場合によっては放置することもある。
【００２１】
また、ウィルスに感染したファイルに対してウィルス対策を施したことをユーザに報知するようにしたもので、市販のコンピュータウィルス対策ソフトウェア（以下ウィルス対策ソフトと略称）を利用し、ウィルス対策ソフトがウィルスを発見し、ウィルスに感染したファイルを削除、駆除、隔離、放置した時に、該当ファイルの代わりにダミーファイルを作成し、ダミーファイルの情報に基いて報知する点に特徴を有する。または、該当ファイルを管理している医用画像データベースに、ウィルスに感染したファイルを削除、駆除、隔離、放置した識別情報を記録し、識別情報に基づいて報知する点に特徴を有する。
【００２２】
なお、上記したウィルス対策として、以下の説明では「ウィルスの隔離」を代表例として説明する。
【００２３】
以下、図２を参照して本発明の医用装置の構成、及び各構成要素の機能の概略を説明する。図２の医用装置１００は、図１のシステム内の各種モダリティ１１〜１４、ファイルサーバ１５、読影装置１６、入出力端末１７の少なくとも１つの装置内に設けられるものである。
【００２４】
図２において、２１はウィルス定義部、２２はウィルス検索部、２３はウィルス隔離部、２４は隔離ディレクトリであり、これらはウィルス対策ソフトが持つ構成である。ウィルス定義部２１は、例えばウィルス発生の可能性を示す特異データを収集してウィルスの特徴を示す情報を定義し、ウィルス検索部２２はこの情報を基に画像データのファイルからウィルスの検索を実施する。ウィルスが検索された場合、ウィルス隔離部２３は、ウィルスに感染したファイルを隔離ディレクトリ２４に移動する。隔離ディレクトリ２４はウィルスに感染したファイルを収容するフォルダーである。
【００２５】
また、２５はウィルス検索結果取得部であり、ウィルス検索部２２及びウィルス隔離部２３に接続され、ウィルス対策ソフトが出力するログファイル等から、該当ファイルの名前・位置、及び隔離場所に関する情報を取得する。
【００２６】
ウィルス検索結果取得部２５は、ダミー情報取得部２６に接続され、ダミー情報取得部２６は、医用画像データベース更新部２７に接続されている。さらに、医用画像データベース更新部２７は、医用画像参照ファイル２８、医用画像データベース２９に接続され、医用画像参照ファイル２８、医用画像データベース２９は、ダミー情報取得部２６に接続されている。
【００２７】
ダミー情報取得部２６は、ウィルス検索結果取得部２５からの検索結果（該当ファイルの名前・位置）からダミーファイルを作成するために必要な情報（ダミー情報）を医用画像参照ファイル２８、医用画像データベース２９から取得する。医用画像データベース更新部２７は、ダミー情報取得部２６からの要求に応じて医用画像参照ファイル２８、医用画像データベース２９を更新する。
【００２８】
医用画像参照ファイル２８は、ネットワーク上で医用画像情報を提供するためのＨＴＭＬ形式のファイルであり、ＷｅｂサーバによってＨＴＭＬファイルを配信し、医用画像データをＷｅｂで見ることができ、リンクを設定することもできるようになっている。また、医用画像データベース２９には、医用画像データの他にデータベースにどのようなデータが保管されているかを示すレコード（一覧表のデータ）が格納されている。これら、医用画像参照ファイル２８及び医用画像データベース２９は、医用画像ファイルを保管・管理する保管部を構成する。
【００２９】
また、ダミー情報取得部２６は、ダミーファイル作成部３０に接続され、ダミーファイル作成部３０は、ウィルス検索結果取得部２５、及びダミーファイル３１に接続されている。さらにダミーファイル３１、医用画像参照ファイル２８、医用画像データベース２９は、医用装置アプリケーション３２に接続されている。
【００３０】
ダミーファイル作成部３０は、ダミー情報取得部２６からのダミー情報作成の要求を受けてダミーファイルを作成し、ウィルス隔離部２３によって隔離されたファイル位置にダミーファイルを置く。つまり、ウィルスに感染したファイルが隔離ディレクトリ２４に隔離されることにより、そのファイルがあった場所に穴が開くので、その位置を埋めるようにダミーファイルを置く。また作成されたダミーファイル３１の内容は、医用装置アプリケーション３２を利用して観察することができる。
【００３１】
医用装置アプリケーション３２は、医用画像や検査情報のリストを作成したり、作成した医用画像や検査情報リストを表示するためのアプリケーションソフトが組み込まれ、医師、技師、サービスエンジニアの要求によって各種情報（例えばリストや画像）を表示することができるリスト表示部、画像表示部を含む。
【００３２】
また、医用装置アプリケーション３２は、再チェック部３３に接続され、再チェック部３３は復旧部３４に接続され、復旧部３４と再チェック部３３は、隔離ディレクトリ２４に接続されている。
【００３３】
再チェック部３３は、ウィルス定義部２１の不都合により誤報の可能性がある場合に対処するもので、最新の定義ファイルによって再度チェックを行う。復旧部３４は、誤報であった場合に、隔離されたファイルを元の位置に戻す処理を行い、かつ医用画像データベース更新部２７が行った処理を元に戻すものである。
【００３４】
再チェック部３３及びウィルス検索結果取得部２５は、通知部３５に接続され、通知部３５は医師、技師、サービスエンジニアにウィルスの検索結果及び再チェック結果を通知するものである。
【００３５】
次に、図２の医用装置の動作について説明する。
【００３６】
図３は、図２の点線枠Ａ３で示す、ウィルス定義部２１、ウィルス検索部２２、ウィルス隔離部２３、及びウィルス検索結果取得部２５の動作シーケンスを説明するシーケンス図であり、図４は、図２の点線枠Ａ４で示す、ダミー情報取得部２６、医用画像データベース更新部２７、医用画像参照ファイル２８、医用画像データベース２９、ダミーファイル作成部３０の動作シーケンスを説明するシーケンス図である。
【００３７】
また、図５は、図２の点線枠Ａ５で示す、医用画像データベース２９、ダミーファイル３１、医用装置アプリケーション３２の動作シーケンスをユーザ（医師、技師等）も絡めて説明するシーケンス図であり、図６は、図２の点線枠Ａ６で示す、医用装置アプリケーション３２、再チェック部３３、復旧部３４、通知部３５の動作シーケンスをユーザも絡めて説明するシーケンス図である。
【００３８】
さらに図７は医用画像参照ファイル２８のファイル情報に基いて表示される画像情報の一例を示し、図８は医用画像データベース２９のデータに基いて表示される画像情報の一例を示し、それぞれファイルの一部がウィルスに感染した場合の表示例を示したものである。
【００３９】
先ず、図３の動作シーケンスを説明する。図３は主にウィルス隔離の動作を説明するシーケンス図である。
【００４０】
ウィルス定義部２１には、ウィルスの特徴を示す情報が定義されており、ウィルス検索部２２はステップＳ１でこの定義情報を取得し、ステップＳ２で定義情報を基にウィルスの検索を実施する。ウィルスが検索された場合、ウィルス隔離部２３に対して隔離要求（ステップＳ３）を行う。ウィルス隔離部２３は、ステップＳ４でウィルスに感染したファイルを隔離ディレクトリ２４に移動する。
【００４１】
ウィルス検索結果取得部２５は、ステップＳ５でウィルス検索部２２から検索結果を取得し、ステップＳ６で、ウィルス対策ソフトが出力するログファイル等から隔離情報を取得し、該当ファイルの名前・位置、及び隔離場所に関する情報を取得する。
【００４２】
次に、図４の動作シーケンスを説明する。図４は主にダミーファイル作成の動作を説明するシーケンス図である。
【００４３】
図４のステップＳ７において、ダミー情報取得部２６は、ウィルス検索結果取得部２５からの検索結果を受け、ステップＳ８、Ｓ９では、隔離した該当ファイルのファイル名・位置情報からダミーファイルを作成するために必要な情報を、医用画像データベース２９及び医用画像参照ファイル２８から取得する。例えば該当ファイルの患者名や損傷ファイル名を取得し、ダミーファイルでは、例えば、患者名に［Found virus］付加する。
【００４４】
ステップＳ１０において、ダミーファイル作成部３０は、ダミー情報取得部２６からの作成要求によって、ダミーファイルを作成する。ダミーファイルにはウィルス対策を講じたことを表す識別情報として例えば、ＤＩＣＯＭ形式のファイルであれば、Patient Name(0x00100010)が“［Found virus]患者名”と設定されたダミーファイルを作成する。また、汎用的な画像ファイルであれば、ピクセルデータに“Found virus”という文字列を埋め込んだダミーファイルを作成する。
【００４５】
また、ステップＳ１１ではダミー情報取得部２６から医用情報データベース更新部２７に対して更新要求を行う。これを受けて情報データベース更新部２７は、該当ファイルのファイル名・位置情報から、該当ファイルを参照している医用画像データベース２９のレコードや、医用画像参照ファイル２８を検索し、ステップＳ１２では、医用画像データベース２９のレコードを更新する。例えば、医用画像データベース２９のPatient Nameのレコードを“[Found virus]患者名”と設定する。また、ステップＳ１３では、医用画像参照ファイル２８を更新し、医用画像参照ファイル２８に、再チェックするためのリンク情報を付加し、隔離ファイルへのリンク情報を使い、再ウィルスチェックボタンを表示する。
【００４６】
次に、図５の動作シーケンスを説明する。図５は主にダミー情報の表示動作を説明するシーケンス図である。
【００４７】
図５のステップＳ１４において、ユーザから検査リストの表示要求があると、医用装置アプリケーション３２は、ステップＳ１５で医用情報データベース２９からリスト情報を取得し、また、ステップＳ１６でダミーファイル３１からリスト情報を取得する。
【００４８】
医用装置アプリケーション３２は、ステップＳ１７でリストを作成し、ステップＳ１８でリスト表示部にリストを表示する。医用装置アプリケーション３２は、リスト表示部にダミーファイル３１の付帯情報、又は医用画像データベース２９の情報を表示する際、患者名等の付帯情報または、医用画像情報をそのまま表示することにより、ウィルスに感染した該当ファイルがあれば、その旨を表示する。
【００４９】
例えば、リスト表示した際にウィルスに感染したファイルのリストがあれば、その箇所に“Found virus”という文字列が表示される。または、付帯情報のウィルス処置のフラグに基づいて、リスト表示部に以下のような警告を出すようにしても良い。例えばウィルスに感染した該当ファイル名をポップアップウィンドウで表示したり、色を変えて表示したり、点滅表示して警告文字を表示する。
【００５０】
さらに医用装置アプリケーション３２は、ステップＳ１９において、ユーザから画像表示要求があると、ステップＳ２０で医用情報データベース２９からウィルス処置の情報を取得し、ステップＳ２１ではダミーファイル３１からピクセルデータを取得する。さらに、ステップＳ２２で画像情報を作成し、ステップＳ２３で画像表示を行う。
【００５１】
医用装置アプリケーション３２は、画像表示部にダミーファイル３１の付帯情報、医用画像データベース２９の画像情報、ダミーファイル３１のピクセルデータをそのまま表示することにより、該当ファイルの箇所に“Found virus”という文字列が表示される。又は、付帯情報のウィルス処置のフラグに基づいて、画像表示部に以下のような警告を出すこともできる。例えばポップアップウィンドウを表示したり、色を変えて表示したり、点滅表示して警告文字を表示する。図４及び図５の動作シーケンスに基く医用画像の表示形態については、図７，８にて後述する。
【００５２】
次に図６の動作シーケンスについて説明する。図６は主にウィルス再チェックの動作を説明するシーケンス図である。
【００５３】
医用装置アプリケーション３２は、ウィルスに感染したファイルを隔離したとき、ステップＳ２４において通知部３５に隔離した旨を通知し、通知部３５はステップＳ２５で、メーカのサービスエンジニア、病院の情報システム部門担当者にメール等で通知する。また、ステップＳ２６でリスト表示部及び画像表示部に表示する。
【００５４】
さらに、ステップＳ２７において、ウィルス定義の不具合により、誤報の可能性があった場合、画像表示部に表示された再チェックボタンをユーザが選択することができる。ユーザが隔離ファイルへのリンク機能を使って再チェックボタンを選択すると、ステップＳ２８では再チェック部３３に対して再チェック要求を行い、再チェック部３３では、最新の定義ファイルで再度チェックを行う。定義ファイルは、例えば１日１回のペースで更新される。
【００５５】
再チェックの結果、誤報の場合、担当者の判断のもとにステップＳ２９で復旧部３４に誤検出であったことを通知し、復旧部３４は隔離されたファイルを基の位置に戻す。また、復旧部３４は、医用画像データベース更新部２７が行った処理も元に戻す。つまり、ウィルスに感染したものとして一旦、隔離ディレクトリ２４に隔離されたファイルをもとの位置に戻す。
【００５６】
さらに、再チェックの結果、本当にウィルスに感染して復旧不可能な場合は、ステップＳ３０で通知部３５にウィルス感染を伝え、通知部３５は、ステップＳ３１で、ウィルス感染により影響を受けるユーザ、例えば、オーダを出した医師、読影した放射線医師、再検査を行う技師、再検査を支援する看護師、再読影を行う放射線医師および患者に再検査の通知を送信する。
【００５７】
図７は、医用画像参照ファイル２８をもとに、医用装置アプリケーション３２の画像表示部８１で表示される画像の表示例を示している。医用画像参照ファイル２８は、ＨＴＭＬ形式のファイルであり、ＷｅｂサーバによってＨＴＭＬファイルを配信し、医用画像データをＷｅｂで見ることができる。表示形態としては、例えば複数の医用画像を同時に表示したり、いずれかの医用画像を選択して表示することができる。
【００５８】
図７（ａ）は、複数の医用画像が並列的に表示され、ウィルス感染がない場合の表示例であり、正常に画像が表示される。これに対して複数の医用画像ファイルの一部にウィルスが検出された場合は、図７（ｂ）のように該当ファイルはダミーファイルと置き換えられるため、ダミーファイルに基く画像が表示される。
【００５９】
例えば図７（ｂ）の複数の医用画像の内、右下の画像はダミーファイル３１による警告文が表示される。図示した例では「ウィルスを発見したため、この画像は隔離されました。再チェックする場合は、ここを選択して下さい」というメッセージが表示されユーザに報知される。また、「ここ」をクリックして選択することにより、再チェック部３３にリンクして再チェックの動作が行われる。
【００６０】
このように、医用画像ファイルの一部にウィルスが検出された場合は、該当ファイルはウィルス隔離部２３によって隔離処置が実行されるため、ウィルス感染の拡大を防止することができる。また医用画像データが隔離された場合には、それをユーザに伝える警告画像が表示されるため、画像消失と勘違いすることもなくなる。さらに、隔離先へのリンクを持つことにより、再チェックを行うことができ、誤検出の場合は復旧することができる。
【００６１】
図８は、医用画像データベース２９のデータに基いて表示される画像情報の一例を示し、ファイルの一部がウィルスに感染した場合の表示例を示したものである。医用画像データベース２９は、画像データが階層構造を有しており、患者に関するデータ（patient）、検査日に関するデータ(study)、複数の画像(image)からなるグループを表すシリーズデータ（series)等を含み、ウィルスに感染した画像(image)ファイルはダミーファイル３１に置き換えられている。ダミーファイル３１は、ウィルスが検出された場合に、患者ＩＤ、患者名、生年月日等、画像情報に付帯する付帯情報部分の表示を変えたり、ＲＯＩ（関心領域：Region of Interest）の情報や、オーバーレイで表示されるピクセルデータ等の表示を変える。
【００６２】
図８において、画面の右欄はリスト表示部８１であり、左欄は画像表示部８２になっている。リスト表示部８１には、患者データ（patient）、検査日データ(study)が上段に表示され、シリーズデータが中段に表示され、imageデータが下段に表示された例を示している。
【００６３】
ウィルスに感染したファイルが検出された場合、リスト表示部では該当するファイルのリスト（例えば患者名や検査日）が選択されたとき、例えばポップアップ表示８３により、［Found virus］と表示される。また、画像表示部８２の画像は、正常であれば医用画像８４が表示されるが、ウィルスに感染した画像を表示しようとすると、警告画像８５に置き換わり、「ウィルスを発見したため、この画像は隔離されました」のような警告文が表示され、ユーザに報知される。これら画像８３，８５は、ユーザに対するウィルス感染時の報知画面である。
【００６４】
また、警告表示としては、上記したポップアップウィンドウの表示の他に、表示色を変えて赤文字にし、リスト表示部８１に表示されるリストの内、該当ファイルの所属するPatient部分、Study部分、series部分の色を変えても良い。色変化に代えてコントラストを変えたり、点滅表示してユーザに分かりやすく伝えるようにしても良い。そのほかに、音声再生部を設けて警告音を鳴らすようにしても良い。
【００６５】
また、ネットワーク１０が、医用画像通信規約（ＤＩＣＯＭ）に適合している場合は、ネットワーク１０を介して情報を通信する際に、通信領域として医用画像データ及び付帯情報の通信領域のほかにユーザが個々に使用可能なプライベートタグ領域を有しているため、ウィルスに感染したファイルに対してウィルス対策を施した場合には、このプライベートタグ領域に、ウィルスに感染しウィルス対策を施したことを示す識別子を付加して通信するようにしても良い。これにより、この識別子を判別して警告表示をすることができる。
【００６６】
このように、本発明によれば、コンピュータウィルスに対して即座に対応することができ、ウィルスに感染しウィルス対策を施したことをユーザに報知することができる。また、誤検出によりウィルス対策を施した場合でも復旧することができる。しかも医用装置や医用情報システムのアプリケーションに影響を与えずに、ウィルス対策を実行することができる。
【００６７】
尚、本発明は、特許請求の範囲を逸脱しない範囲内で種々の変形が可能である。
【図面の簡単な説明】
【００６８】
【図１】本発明の医用装置が適用された医用システムの全体構成を示す構成図である。
【図２】本発明の医用装置の一実施形態の構成を示すブロック図である。
【図３】同実施形態におけるウィルス隔離の動作を説明するシーケンス図である。
【図４】同実施形態におけるダミーファイル作成の動作を説明するシーケンス図である。
【図５】同実施形態におけるダミー情報の表示動作を説明するシーケンス図である。
【図６】同実施形態におけるウィルス再チェックの動作を説明するシーケンス図である。
【図７】同実施形態における医用画像参照ファイルに基く医用画像の表示例を示す説明図。
【図８】同実施形態における医用画像データベースに基く医用画像の表示例を示す説明図。
【符号の説明】
【００６９】
１０…ネットワーク
１１…Ｘ線ＣＴ装置
１２…ＭＲＩ装置
１３…Ｘ線装置
１４…超音波診断装置
１５…ファイルサーバ
１６…読影装置
１７…入出力端末装置
１８…画像ビューア
２１…ウィルス定義部
２２…ウィルス検索部
２３…ウィルス隔離部
２４…隔離ディレクトリ
２５…ウィルス検索結果取得部
２６…ダミー情報取得部
２７…医用画像データベース更新部
２８…医用画像参照ファイル
２９…医用画像データベース
３０…ダミーファイル作成部
３１…ダミーファイル
３２…医用装置アプリケーション
３３…再チェック部
３４…復旧装置
３５…通知部
【図１】
2007213239.tif 000003
【図２】
2007213239.tif 000004
【図３】
2007213239.tif 000005
【図４】
2007213239.tif 000006
【図５】
2007213239.tif 000007
【図６】
2007213239.tif 000008
【図７】
2007213239.tif 000009
【図８】
2007213239.tif 000010